(57)【特許請求の範囲】
【請求項１】
ＥＩＡ規格に準拠する収納ラックの支柱に、ユニバーサルピッチで設けられた複数の取付穴の中から、特定の取付穴を選択する為に使用されるスケールにおいて、
ユニット中央目盛と、ユニット番号とを備えており、
前記ユニット中央目盛は、４４．４５ｍｍの間隔で刻まれており、
前記ユニット番号は、前記ユニット中央目盛に対応して、且つ、連番で刻まれていることを特徴とするスケール。
【請求項２】
ＥＩＡ規格に準拠する収納ラックの支柱に、オルタネイティブピッチ、又はワイドピッチで設けられた複数の取付穴の中から、特定の取付穴を選択する為に使用されるスケールにおいて、
ユニット補助目盛と、ユニット番号とを備えており、
前記ユニット補助目盛は、３１．７５ｍｍと１２．７ｍｍとの繰り返し間隔で刻まれており、
前記ユニット番号は、３１．７５ｍｍの間隔で刻まれた前記ユニット補助目盛の間の位置で、且つ、連番で刻まれていることを特徴とするスケール。
【請求項３】
ＥＩＡ規格に準拠する収納ラックの支柱に設けられた複数の取付穴の中から、特定の取付穴を選択する為に使用されるスケールにおいて、
ユニット中央目盛と、ユニット補助目盛と、ユニット番号とを備えており、
前記ユニット中央目盛は、４４．４５ｍｍの間隔で刻まれており、
前記ユニット補助目盛は、前記ユニット中央目盛の両側で１５．８７５ｍｍ離れた位置に刻まれており、
前記ユニット番号は、前記ユニット中央目盛に対応して、且つ、連番で刻まれていることを特徴とするスケール。
【請求項４】
請求項１から請求項３のいずれか１項に記載のスケールと、巻取り装置とからなる巻尺であって、
前記スケールは長尺の薄型の帯状体あり、前記巻取り装置内に巻回した状態で収納されており、引き出し自在となっていることを特徴とする巻尺。
【発明の詳細な説明】
【０００１】
【発明の属する技術分野】
本発明は、スケールに関するものであり、特に、ＥＩＡ規格に準拠する収納ラックの支柱に設けられた複数の取付穴の中から、特定の取付穴を選択する為のスケールに関するものである。
【０００２】
【従来の技術】
コンピュータ、音響機器等の電子機器は、塵や埃等を避ける為に、あるいは、安全管理上や、収納スペース上の理由から、収納棚等を扉と板材とで囲った筺体状の収納ラック内に、積み重ねて収納されることが多い。
【０００３】
この収納ラック、及び、収納ラックに収納されるユニットシャーシに関して、日本国内のＪＩＳ規格（Ｊａｐａｎ  Ｉｎｄｕｓｔｒｉａｌ  Ｓｔａｎｄｅｒｄ：日本工業規格）と、米国のＥＩＡ規格（Ｅｌｉｃｔｒｏｎｉｃ  Ｉｎｄｕｓｔｒｉｏｕｓ  Ａｌｌｉａｎｃｅ：米国電子工業会）に代表される欧米の規格が知られている。わが国においては、この２種類の規格が同時に一般化されており、例えば「１９インチ収納ラック」と呼ばれる収納ラックにも、この２種類の規格によるものが混在している。なお、ユニットシャーシとは、収納ラックに収納される電子機器等の取り付け部分である。
【０００４】
この１９インチ収納ラックについて、ＪＩＳ規格では、ユニットシャーシの幅は４８０ｍｍで一定であり、高さは５０ｍｍの倍数の長さとなっている。これに対応して、収納ラックの支柱の取付穴は、高さ方向に５０ｍｍ間隔で並び、左右の支柱間においては４６５ｍｍの間隔で配置されている。
【０００５】
一方、ＥＩＡ規格では、ユニットシャーシの幅は４８２．６ｍｍ（１９インチ）で一定であり、高さは４４．４５ｍｍ（１．７５インチ＝１Ｕ（ユニット））の倍数の長さとなっている。そして、これに対応して、収納ラックの支柱の取付穴の間隔は、高さ方向では、ユニバーサルピッチと、オルタネイティブピッチ（ワイドピッチとも呼ばれる）との２種類の並び方があり、左右の支柱間においては４６５．１ｍｍで配置されている。「ユニバーサルピッチで並ぶ取付穴」とは、取付穴が、１５．８７５ｍｍ、１５．８７５ｍｍ、１２．７ｍｍの間隔で繰り返して設けられていることを意味する。同様に、「オルタネイティブピッチ（＝ワイドピッチ）で並ぶ取付穴」とは、取付穴が、３１．７５ｍｍ、１２．７ｍｍの間隔で繰り返して設けられていることを意味する。
なお、一般的に情報処理の分野において１９インチ収納ラックと呼ばれるのは、ＥＩＡ規格の収納ラックである。
【０００６】
【発明が解決しようとする課題】
したがって、前記したように、ＥＩＡ規格に準拠する収納ラックの支柱に設けられる取付穴は、等間隔でなく不等間隔である為に、一般的に普及しているメートル法に準拠するスケールでは、特定の取付穴を直接的に選択することは不可能であった。
また、複数の取付穴を備えるユニットシャーシを支柱に取り付けるときは、ユニットシャーシの取付穴と、支柱の取付穴とが一致していることを確認する必要があった。
【０００７】
さらに、例えば、「支柱の端部から７ユニット目の第１ユニバーサルピッチ目の取付穴と、ユニットシャーシの取付穴とを一致させて取り付ける」場合に、第１の方法としては、３（穴／Ｕ）×７（Ｕ）＋１（穴）＝２２（穴）の様に計算をして、端部から取付穴の数を数える方法があるが、取付穴は多数あるため、数え間違えしてしまい、ユニットシャーシを段違いに取り付けてしまうという問題があった。
また、第２の方法をしては、４４．４５（ｍｍ／Ｕ）×７（Ｕ）＋１２．７（ｍｍ）／２＝３１７．５（ｍｍ）＝３１．７５（ｃｍ）のようにメートル法に準拠するように計算して、メートル法に準拠するスケールを用いて取付穴を定めた後に、ユニットシャーシを取り付ける方法があるが、取付の毎に計算する必要があり、非常に煩雑であり苦痛であった。
【０００８】
そこで、本発明は、前記問題を解決する為になされたものであり、ＥＩＡ規格に準拠する収納ラックの支柱に設けられた複数の取付穴から、特定の取付穴を容易に視認して選択することができるスケールを提供することを課題とする。
【０００９】
【課題を解決する為の手段】
前記課題を解決する手段として、請求項１に係る発明は、ＥＩＡ規格に準拠する収納ラックの支柱に、ユニバーサルピッチで設けられた複数の取付穴の中から、特定の取付穴を選択する為に使用されるスケールにおいて、ユニット中央目盛と、ユニット番号とを備えており、前記ユニット中央目盛は、４４．４５ｍｍの間隔で刻まれており、前記ユニット番号は、前記ユニット中央目盛に対応して、且つ、連番で刻まれていることを特徴とするスケールである。
【００１０】
ここでスケールの形状は、特に記載しない限り、例えば、棒状、薄板状、長帯状等の形状は問わないこととする。
また、特定の取付穴とは、例えば、「支柱の端部から７ユニット目の第１ユニバーサルピッチ目の取付穴」のように、ユニットとピッチとにより、指定された取付穴を意味するものとする。
【００１１】
このようなスケールを、ＥＩＡ規格に準拠し、ユニバーサルピッチで設けられた複数の取付穴を有する収納ラックの支柱に沿って、適宜な位置に当接させると、スケールに設けられたユニット中央目盛と、支柱に設けられた取付穴とがそれぞれ対応する。また、ユニット番号により、各取付穴が支柱の何ユニット目に位置するかを容易に視認することができる。したがって、複数の取付穴から、特定の取付穴を容易に選択することができる。なお、「適宜な位置」とは、各ユニット中央目盛と各取付穴の中心とが、支柱の長手方向でそれぞれ一致するような位置である。
【００１２】
請求項２に係る発明は、ＥＩＡ規格に準拠する収納ラックの支柱に、オルタネイティブピッチ、又はワイドピッチで設けられた複数の取付穴の中から、特定の取付穴を選択する為に使用されるスケールにおいて、ユニット補助目盛と、ユニット番号とを備えており、前記ユニット補助目盛は、３１．７５ｍｍと１２．７ｍｍとの繰り返し間隔で刻まれており、前記ユニット番号は、３１．７５ｍｍの間隔で刻まれた前記ユニット補助目盛の間の位置で、且つ、連番で刻まれていることを特徴とするスケールである。
【００１３】
このようなスケールを、ＥＩＡ規格に準拠し、オルタネイティブピッチ（＝ワイドピッチ）で設けられた複数の取付穴を有する収納ラックの支柱に沿って、適宜な位置に当接させると、スケールに設けられたユニット補助目盛と、支柱に設けられた取付穴とがそれぞれ対応する。また、ユニット番号により、各取付穴が支柱の何ユニット目に位置するかを容易に視認することができる。したがって、複数の取付穴から、特定の取付穴を容易に選択することができる。なお、「適宜な位置」とは、各ユニット補助目盛と各取付穴の中心とが、支柱の長手方向でそれぞれ一致するような位置である。
【００１４】
請求項３に係る発明は、ＥＩＡ規格に準拠する収納ラックの支柱に設けられた複数の取付穴の中から、特定の取付穴を選択する為に使用されるスケールにおいて、ユニット中央目盛と、ユニット補助目盛と、ユニット番号とを備えており、前記ユニット中央目盛は、４４．４５ｍｍの間隔で刻まれており、前記ユニット補助目盛は、前記ユニット中央目盛の両側で１５．８７５ｍｍ離れた位置に刻まれており、前記ユニット番号は、前記ユニット中央目盛に対応して、且つ、連番で刻まれていることを特徴とするスケールである。
【００１５】
このようなスケールを、ＥＩＡ規格に準拠し、ユニバーサルピッチ、又はオルタネイティブピッチ（＝ワイドピッチ）で設けられた複数の取付穴を有する収納ラックの支柱に沿って適宜な位置に当接させると、ユニット中央目盛及びユニット補助目盛が、支柱に設けられた複数の取付穴にそれぞれ対応する。また、ユニット番号により、各取付穴が支柱の何ユニット目に位置するかを、容易に視認することができる。したがって、複数の取付穴から特定の取付穴を容易に選択することができる。なお、「適宜な位置」とは、各ユニット中央目盛及び各ユニット補助目盛と、各取付穴との中心とが支柱の長手方向でそれぞれ一致するような位置である。
【００１６】
請求項４に係る発明は、請求項１から請求項３のいずれか１項に記載のスケールと、巻取り装置とからなる巻尺であって、前記スケールは長尺の薄型の帯状体あり、前記巻取り装置内に巻回した状態で収納されており、引き出し自在となっていることを特徴とする巻尺である。
【００１７】
ここで、薄型の帯状体とは、例えば、テープ状等を意味する。
このような巻尺によれば、スケールは巻取り装置内に巻回されて収納性に優れている。また、スケールは引き出し自在となっているので取り扱いが容易である。
【００１８】
【発明の実施の形態】
以下、添付図面を参照して、本発明の実施形態について詳細に説明する。
なお、各実施形態の説明において、同一の構成要素に関しては同一の符号を付し、重複した説明は省略するものとする。
【００１９】
（第１実施形態）
本発明の第１実施形態に係るスケールについて、図１から図３を参照して説明する。
図１は、第１実施形態に係るスケールを備える巻尺を使用して、ＥＩＡ規格に準拠する１９インチ収納ラックに電子機器等と取り付ける場合の取付状況説明図である。図２は、図１に示す取付状況の要部の拡大説明図である。図３は、第１実施形態に係るスケールを備える巻尺の全体斜視図である。
【００２０】
（構成）
まず、ＥＩＡ規格に準拠する１９インチ収納ラック（以下、収納ラックと省略することもある。）２０について説明する。
図１に示すように、収納ラック２０は、箱型の筺体２３と、４本の支柱２４とを主要部として構成されている。
【００２１】
筺体２３は、ドア２２と、２枚の側面パネル２７、２７と、背面パネル２８と、天井パネル２６と、底パネル３４と、４本の縦柱体２５、２５、２５、２５とを主要部として構成されている。底パネル３４の四隅に４本の縦柱体２５、２５、２５、２５がそれぞれ立設され、縦柱体２５の上部に、天井パネル２６が覆い被さる様にして固定されている。そして、正面には開閉自在のドア２２（以下、図１においてはドア２２側を正面側とする）、側面には側面パネル２７、２７、背面には背面パネル２８が設けられている。なお、説明の都合上、図１において、収納ラック２０の正面に向かって左側の側面パネル２７は図示しておらず、また、ドア２２は開いた状態である。
【００２２】
各支柱２４は、例えば鉄等の金属から形成される棒状の部材である。そして、筺体２３の四隅に配置するように、各支柱２４の上下付近で、断面がハット状を呈するブラケット２９を介して各縦柱体２５にそれぞれ固定されている。また、中間高さ付近においても、縦柱体２５に固定された横架材３０に、ブラケット２９介して固定されている。
【００２３】
また、各支柱２４には、図１及び図２に示すように、電子機器２１及び収納棚３３を取り付ける為の、複数のユニット中央取付穴３５と複数のユニット補助取付穴３６とが、ＥＩＡ規格のユニバーサルピッチに準拠して穿設されている。
したがって、ドア２２を閉じると筺体２３により、電子機器２１等の収納物が埃などから保護されるようになっている。そして、これら各支柱２４が、電子機器２１及び収納棚３３を水平に支持する構成となっている。
【００２４】
続いて、ユニット中央取付穴３５、及びユニット補助取付穴３６の配列状況について説明する。
正面側又は背面側において、支柱２４、２４間のユニット中央取付穴３５、及び、ユニット補助取付穴３６の間隔（図１に示すＷ３）は、前記したように、収納ラック２０はＥＩＡ規格に準拠する１９インチ仕様であるので、４６５．１ｍｍである。なお、その他例えば２１インチ仕様の収納ラックにおいては、支柱間の取付穴の間隔Ｗ３が異なる。
【００２５】
次に、各支柱２４におけるユニット中央取付穴３５とユニット補助取付穴３６の配列について、図２を参照して説明する。
図２は、図１の要部の拡大説明図であり、図２に示す支柱２４は、図１に示す収納ラック２０の正面に向かって左側の支柱２４の上部分である。なお、他の支柱２４についても同様であるので説明は省略する。また、説明する都合上、補助線５０を使用する。
【００２６】
補助線５０は、支柱２４の上方端部から、高さ方向に４４．４５ｍｍ間隔で設けられる。この長さは、ＥＩＡ規格の１ユニットに相当し、支柱２４を１ユニット単位で分ける。
【００２７】
各ユニットには、上方から順に、ユニット補助取付穴３６、ユニット中央取付穴３５、ユニット補助取付穴３６が、１列となるように穿設されている。ここで、ユニット中央取付穴３５とユニット補助取付穴３６とは同じ大きさであるが、説明の都合上区別して呼ぶこととする。また、ユニット補助取付穴３６及びユニット中央取付穴３５は、正方形を呈する形状であり、第１実施形態においては各辺の長さは１０ｍｍである。
【００２８】
ユニット中央取付穴３５、及び、ユニット補助取付穴３６の向きは、正方形を呈する取付穴のうち、１対の対辺が支柱２４の高さ方向と平行となっている。
【００２９】
次に、ユニット中央取付穴３５とユニット補助取付穴３６の高さ方向の配列状況について説明する。
ユニット中央取付穴３５は、各ユニットの高さ方向の中心に、正方形の対角線の交点が一致するように、設けられている。
ユニット補助取付穴３６、３６は、前記したユニット中央取付穴３５の上下両側に、１５．８７５ｍｍ（図２の間隔ａ）離れた位置に、正方形の対角線の交点が一致するように、それぞれ設けられている。
【００３０】
言い換えれば、各ユニットにおいて、上方側から６．３５ｍｍの位置にユニット補助取付穴３６が設けられ、さらに１５．８７５ｍｍ（図２の間隔ａ）下方に離れた位置にユニット中央取付穴３５、さらに１５．８７５ｍｍ（図２の間隔ａ）下方にユニット補助取付穴３６が設けられている。そしてさらに、このユニット補助取付穴３６の下方１２．７ｍｍ（図２の間隔ｂ）の位置には、隣接するユニットのユニット補助取付穴３６が設けられている。
【００３１】
したがって、隣接するユニット間において、ユニット中央取付穴３５の間隔は、１ユニットの長さと等しく、４４．４５ｍｍ（図２において、間隔ａ＋間隔ｂ＋間隔ａ）である。また、ユニット補助取付穴３６と最も近傍の補助線５０との間隔は、６．３５ｍｍである。但し、支柱２４の最上方に位置するユニット補助取付穴３６の場合は、支柱２４の上方の端部との間隔（図２の間隔ｃ）となる。
【００３２】
すなわち、ユニット中央取付穴３５と、ユニット補助取付穴３６とは、１５．８７５ｍｍと１５．８７５ｍｍと１２．７ｍｍとの繰り返し間隔（ユニバーサルピッチ）で、並んで配置されている。
【００３３】
なお、ＥＩＡ規格に準拠し、このように複数の取付穴（ユニット中央取付穴３５、ユニット補助取付穴３６）が設けられた支柱２４は、一般的に、「ゲージナットフレーム」、「マウントアングル」、「マウント（用）フレーム」等と呼ばれている。
【００３４】
なお、ＥＩＡ規格においては、第１実施形態で示す「ユニバーサルピッチ（ｕｎｉｖｅｒｓａｌ  ｐｉｔｃｈ）」で取付穴が設けられた支柱の他に、図２に示すように、「オルタネイティブピッチ（ａｌｔｅｒｎａｔｉｖｅ  ｐｉｔｃｈ）＝ワイドピッチ（ｗｉｄｅ  ｐｉｔｃｈ）」で取付穴が設けられた支柱がある。オルタネイティブピッチ（＝ワイドピッチ）では、３１．７５ｍｍと１２．７ｍｍとの繰り返しの間隔でユニット補助取付穴３６が設けられている。
【００３５】
また、各支柱２４には、例えば電子機器２１に接続されるから電気ケーブルの集束部材等を固定する為の備品取付穴４５が、ユニット中央取付穴３５又はユニット補助取付穴３６のそれぞれ外側に配置するように設けられている。
【００３６】
次に、このような収納ラック２０に取り付けられる電子機器２１と収納棚３３について、説明する。
電子機器２１は、コンピュータ、音響機器等であり、両端にユニットシャーシ３１、３１を備えている。ユニットシャーシ３１、３１は、支柱２４との取付部分であり、ＥＩＡ規格においてその高さ（図１に示すｈ）は、１ユニットの倍数となっている。また、ユニットシャーシ３１、３１間の外側の幅（図１に示すＷ１）は、第１実施形態では４８２．６ｍｍである。
また、ユニットシャーシ３１、３１、及び収納棚３３の取り付け部分には、支柱２４に好適に取り付け可能なように、取付穴がそれぞれ設けられている。ユニットシャーシ３１、３１の取付穴間、及び収納棚３３の取付穴間の間隔は、４６５．１ｍｍ（図１に示すＷ２）である。
なお、収納ラック２０に取付られるものは、電子機器２１、収納棚３３に限定されることはない。
【００３７】
さらに次に、第１実施形態に係るスケール１を備える巻尺１０について、図２と図３を参照して説明する。
【００３８】
巻尺１０は、スケール１と巻取り装置１１とを主要部として構成されている。スケール１は、長尺で薄型の金属製の帯状体であり、巻取りバネ（図示しない）を備える巻取り装置１１に巻回された状態で収納されている。
【００３９】
巻取り装置１１は、箱状を呈する収納容器であり、内部に巻取りドラム（図示しない）と、巻取りバネ（図示しない）とを備え、外表面にストッパー１２とフック１３を備えている。
巻取りドラム（図示しない）の周面に、スケール１の片方の端部が固定されて、巻取りバネ（図示しない）により、スケール１が巻取りドラム（図示しない）に巻回された状態で巻取り装置１１の内部に収納されるようになっている。そして、スケール１を使用するときには、前記巻取りバネ（図示しない）の弾性に抗して巻取り装置１１から、所望の長さのスケール１を引き出せるように引き出し自在となっている。
【００４０】
ストッパー１２は、スケール１の引き出し口付近に設けられており、このストッパー１２をＯＮにすると、前記した巻取りドラム（図示しない）をロックするようになっており、前記巻取りバネ（図示しない）の弾性力に抗して引き出したスケール１を任意の位置で自在に固定できるようになっている。また、フック１３により、ベルト等に吊り下げ可能となっているので、巻尺１０は携帯性に優れている。
【００４１】
また、スケール１のもう一方の端部には、断面がＬ字状を呈する掛止部材１４が固定されている。この掛止部材１４が、収納時においては巻取り装置１１の引き出し口に掛止することにより、スケール１全体が巻き込まれることが防止されており、且つ、使用時においては、この掛止部材１４を対象物に掛止できるようになっている。
【００４２】
続いて、スケール１に刻まれている目盛について、図２を参照して説明する。図２に示すように、スケール１には、ＥＩＡ規格に準拠するように、ユニット中央目盛５と、ユニット補助目盛６と、ユニット境界目盛７と、取付穴端面目盛８と、ユニット番号９とが、視認可能な同一の面にそれぞれ設けられている。
【００４３】
ユニット中央目盛５は、スケール１の上端から長手方向に、２２．２２５ｍｍ（図２において、ｃ＋ａの距離）の位置に最初に刻まれており、この位置から続いて、４４．４５ｍｍ（図２において、ａ＋ｂ＋ａの距離）間隔で刻まれている。
【００４４】
ユニット補助目盛６は、各ユニット中央目盛５の両側で、１５．８７５ｍｍ（図２において、ａの距離）離れた位置にそれぞれ刻まれている。
【００４５】
ユニット境界目盛７は、各ユニット中央目盛５の両側で、２２．２２５ｍｍ離れた位置に刻まれている。したがって、引き出されたスケール１の端部側においては、スケール１の端部とユニット境界目盛７とが一致するようになっている。
【００４６】
取付穴端面目盛８は、各ユニット中央目盛５、及び、各ユニット補助目盛６の両側で、５．００ｍｍ離れた位置にそれぞれ設けられている。
【００４７】
ユニット番号９は、引き出されたスケール１の端部側から、各ユニット中央目盛５に対応するように近接して、１、２、３・・・のように整数が連番で設けられている。
【００４８】
（作用と効果）
続いて、第１実施形態に係るスケール１を備える巻尺１０を使用して、ＥＩＡ規格に準拠する１９インチ収納ラック２０に、電子機器２１及び収納棚３３を取り付ける場合について説明する。
【００４９】
図３に示すように、巻尺１０の巻取り装置１１を把持し、スケール１の掛止部材１４を摘んで引き出し、そして、ストッパー１２をＯＮにして、スケール１を所望長さで固定する。
【００５０】
そして、図１及び図２に示すように、スケール１の掛止部材１４を、収納ラック２０の正面側の支柱２４の端部に掛止させ、引き出したスケール１全体を支柱２４に沿うように配置する。
このとき、掛止部材１４が外れないように、又は、引き出したスケール１及び巻尺１０が揺れないように、例えばクリップ、テープ等で、引き出されたスケール１の中間部等を仮止めすると良い。
【００５１】
このようにスケール１が配置されると、図２に示すように、支柱２４の各ユニット中央取付穴３５の中心線付近には、スケール１のユニット中央目盛５が、それぞれ対応して配置される。
そして、各ユニット補助取付穴３６の中心線付近には、ユニット補助目盛６が、それぞれ対応して配置される。
また、説明上用いた前記各補助線５０には、ユニット境界目盛７が、それぞれ対応して配置される。
さらに、各ユニット中央取付穴３５の水平方向の端面には、取付穴端面目盛８が、それぞれ対応して配置される
【００５２】
さらにまた、スケール１にはユニット番号９が刻まれているので、このユニット番号９と、ユニット中央目盛５及びユニット補助目盛６とにより、支柱２４の各ユニット中央取付穴３５及び各ユニット補助取付穴３６は、支柱２４の端部から何ユニット目の何番目に相当するかを、容易に視認することができる。
【００５３】
したがって、前記したように取付穴の数の数え間違いや、メートル法に準拠させるための煩雑で苦痛な計算をすることなく、多数の取付穴から特定の取付穴を容易に選択することができる。
【００５４】
さらに、図１に示すように、収納ラック２０の正面側のもう一方の支柱２４に対して、同様の作業を行うことにより、両側の支柱２４、２４に対して、同時に、ユニット番号、及び取付穴の位置を視認することができる。
【００５５】
そして、電子機器２１の両端部のユニットシャーシ３１、３１の取付穴、及び、収納棚３３の両側の取付穴を、選択した特定の支柱２４の取付穴に、それぞれ容易に一致させることができる。そして、支柱２４の裏側からプレートナット３２をあてがって、電動ドライバー４０等を使用し、取付ネジにより、電子機器２１、及び、収納棚３３を支柱２４に取り付けることができる。よって、電子機器２１及び収納棚３３は、確実に水平状態に保持して収納することができる。
【００５６】
前記した形態では、スケール１は、長尺で薄型の金属製の帯状体で形成されており、巻取り装置１１に巻回された状体で収納されているとしたが、その他に例えば、単に、ひも状体、棒状体、又は、合成樹脂製の薄板で形成されても良い。
【００５７】
また、前記した形態では、スケール１に単に、ユニット中央目盛３５、ユニット補助目盛３６等を刻んだのみであるが、さらに例えば、目盛等の色を赤、青、緑等で色分けしたり、スケール１の地色ユニット境界目盛７毎に赤、白、赤、白・・・の様ように色別できるようにすると、より好適に視認することができるようになる。
【００５８】
前記した例では、スケール１を備える巻尺１０を使用して、ユニバーサルピッチで設けられた取付穴を有する支柱２４に、電子機器２１等を取り付ける場合について説明したが、その他に、オルタネイティブピッチ（＝ワイドピッチ）で取付穴が支柱に設けられている場合は、スケール１の各ユニット補助目盛６がオルタネイティブピッチ（＝ワイドピッチ）で設けられた取付穴に対応する（図２参照）ので、容易に特定の取付穴を選択することができる。
【００５９】
前記した形態では、支柱２４に設けられた正方形状のユニット中央取付穴３５及びユニット補助取付穴３６に、スケール１に刻まれたユニット中央目盛５及びユニット補助目盛６がそれぞれ対応するとしたが、取付穴の形状は、その他に例えば、円形状等の取付穴であっても、ＥＩＡ規格に準拠する間隔で設けられているならば対応することができる。
【００６０】
さらにまた、前記した例では、縦型の収納ラック２０の高さ方向の支柱２４に設けられた複数の取付穴から、特定の取付穴を選択する場合に、スケール１を備える巻尺１０を使用したが、その他に例えば、横型、つまり、水平方向の支柱にＥＩＡ規格に準拠して取付穴が設けられている収納ラックにも、スケール１は適用することができる。
【００６１】
前記した形態では、支柱２４の端部に掛止部材１４を掛止し、端部からのユニット数等を容易に視認することができるとしたが、その他に例えば、既に取り付けられている電子機器２１の下方からでも、適宜な位置にスケール１を当接することにより、複数の取付穴から特定の取付穴を選択することができる。
【００６２】
前記した例では、ＥＩＡ規格に準拠する１９インチの収納ラックを対象として説明したが、その他に例えば、２１インチ等の収納ラックに対して同様のスケールを形成しても良い。
【００６３】
【発明の効果】
本発明によれば、ＥＩＡ規格に準拠する収納ラックの支柱設けられた複数の取付穴から、特定の取付穴を容易に視認して選択することができるスケールを提供することができる。
【図面の簡単な説明】
【図１】本発明の第１実施形態に係るスケールを備える巻尺を使用して、ＥＩＡ規格に準拠する１９インチ収納ラックに電子機器等と取り付ける場合の取付状況説明図である。
【図２】図１に示す取付状況の要部の拡大説明図である。
【図３】本発明の第１実施形態に係るスケールを備える巻尺の全体斜視図である。
【符号の説明】
１        スケール
５        ユニット中央目盛
６        ユニット補助目盛
７        ユニット境界目盛
８        取付穴端面目盛
９        ユニット番号
１０      巻尺
１１      巻取り装置
２０      収納ラック
２１      電子機器
２４      支柱
３３      収納棚
３５      ユニット中央取付穴
３６      ユニット補助取付穴
【図１】
0003577703.tif 000002
【図２】
0003577703.tif 000003
【図３】
0003577703.tif 000004